(57)【要約】【課題】  改修屋根等の施工において、その屋根板等の建築用板Ｃを施工するのに、溶接手段を使用することなく、極めて簡単且つ迅速に受金具Ｂを構造材に装着すること。【解決手段】  水平基板部１の一端に略折返し状の上部係止端縁２が形成され他方側にボルト接合する上側接合部３が形成された上部取付部材Ａ１と、垂下状部５の下端に下部係止端縁６が形成され，前記垂下状部５の上端にボルト接合する下側接合部７が形成された下部取付部材Ａ２とからなる取付具Ａと、前記上部取付部材Ａ１の水平基板上に固着された受金具Ｂとからなること。前記上部取付部材Ａ１の上部係止端縁２は、構造材１４の水平板片１４ａの端部に係止され、且つ前記下部取付部材Ａ２の下部係止端縁６は、前記構造材１４の垂直板片の下端に係止されると共に、前記上側接合部３と下側接合部７とがボルト９ａ，ナット９ｂによる固着具９にて固着されこと。【選択図】      図１
2007056630.tif 000002
【特許請求の範囲】
【請求項１】
水平基板部の一端に略折返し状の上部係止端縁が形成され他方側にボルト接合する上側接合部が形成された上部取付部材と、垂下状部の下端に下部係止端縁が形成され，前記垂下状部の上端にボルト接合する下側接合部が形成された下部取付部材とからなる取付具と、前記上部取付部材の水平基板上に固着された受金具とからなり、前記上部取付部材の上部係止端縁は、構造材の水平板片の端部に係止され、且つ前記下部取付部材の下部係止端縁は、前記構造材の垂直板片の下端に係止されると共に、前記上側接合部と下側接合部とがボルト，ナットによる固着具にて固着されてなることを特徴とする受金具取付装置。
【請求項２】
請求項１において、前記上側接合部は、前記水平基板部と同一平坦面に形成され、前記上部取付部材が構造材の水平板片上に配置された状態にて、前記上側接合部は構造材から水平方向に突出し、前記下側接合部は垂下状部に対して略直角に屈曲形成され、前記上側接合部と下側接合部とは水平方向且つ平行に接合されてなることを特徴とする受金具取付装置。
【請求項３】
請求項１において、前記上側接合部は、前記水平基板部に対して上方に傾斜する傾斜面とし、前記下側接合部は前記垂下状部に対して外面側に傾斜する傾斜面としてなることを特徴とする受金具取付装置。
【請求項４】
請求項１，２ 又は３において、前記上部取付部材の上側接合部と、前記下部取付部材の下側接合部とは、ボルト，ナットの固着具による接合状態において適宜の隙間が存在してなることを特徴とする受金具取付装置。
【請求項５】
請求項１，２，３又は４において、前記上部取付部材の水平基板部又は前記下部取付部材の垂下状部には、内螺子部が設けられ、前記水平基板部又は垂下状部を貫通する螺子軸部が前記内螺子部に螺合されてなる補助固定部が構成されてなることを特徴とする受金具取付装置。
【請求項６】
請求項１，２，３，４又は５において、前記受金具に施工される外囲体は、建築用板と、キャップ材とから構成され、前記建築用板の幅方向両側には被嵌合屈曲部が形成され、前記受金具の幅方向両側に配置された建築用板同士の対向する被嵌合屈曲部に前記キャップ材が嵌合されてなることを特徴とする受金具取付装置。
【発明の詳細な説明】
【技術分野】
【０００１】
本発明は、改修屋根等の施工において、その屋根板等の建築用板を施工するのに、溶接手段を使用することなく、極めて簡単且つ迅速に受金具を構造材に装着することができる受金具取付装置に関する。
【背景技術】
【０００２】
従来より、鉄道の駅のホーム等の屋根が老朽化又は災害等の損傷によって改修することが必要となった場合には、その改修工事は終電後の夜間の短時間の内に行なわなくてはならない。すなわち、前述した駅ホームやバスターミナル或いは駐車場等の、特定の時間内でしか未使用状態にならないような場所で、その屋根等の改修工事を行なうには時間的制限がある。さらに、その場所に設置された構造物や、配置された車両，自動車等に対して損傷を与えることがあってはならない等の工事の施工に伴う種々の制限もある。
【特許文献１】特開平８−２８４３２８号
【発明の開示】
【発明が解決しようとする課題】
【０００３】
上記のように、改修工事では、時間的制限によって、決められた時間内に工事が終了しなければならない。また、施工的制限では、たとえば、特許文献１等に開示された構造を用いるには、部品を取り付けるために、既設の梁等の構造材にボルト，ナットで固着するために、貫通孔を穿孔しなければならず、そのために切屑，切粉が周囲に飛散し、周囲を汚してしまうことになる。しかも、前述したように、上記溶接手段を採用しない場合であっても、さらにその受金具等の部品を梁等の構造材に固着するために、ボルトの孔を一々穿孔することも面倒であり、施工時間を長くすることになる。またそのための掃除時間も必要となるという問題点を有している。
【０００４】
また、溶接を用いるとその作業中に炎が飛散し、周囲の設備等に損傷を与えてしまうことがないようにしなくてはならない。そのために、施工箇所周辺に防炎シートを張る等の段取りが必要となり、作業負担が増えて、施工時間も長くなってしまう。このため改修屋根の工事では、その作業において安全且つ迅速性が求められ、ひいては、効率的な作業をできることが要求される。特に、屋根の改修工事では、屋根を支える受金具は、簡単且つ強固に固着されなければならない。このため、本発明が解決しようとする課題（技術的課題又は目的）は、屋根等の外囲体の改修工事において、溶接手段等を使用しないで、短時間に安全に施工することを実現することである。
【課題を解決するための手段】
【０００５】
そこで、発明者は上記課題を解決すべく、鋭意，研究を重ねた結果、請求項１の発明は、水平基板部の一端に略折返し状の上部係止端縁が形成され他方側にボルト接合する上側接合部が形成された上部取付部材と、垂下状部の下端に下部係止端縁が形成され，前記垂下状部の上端にボルト接合する下側接合部が形成された下部取付部材とからなる取付具と、前記上部取付部材の水平基板上に固着された受金具とからなり、前記上部取付部材の上部係止端縁は、構造材の水平板片の端部に係止され、且つ前記下部取付部材の下部係止端縁は、前記構造材の垂直板片の下端に係止されると共に、前記上側接合部と下側接合部とがボルト，ナットによる固着具にて固着されてなる受金具取付装置としたことにより、上記課題を解決した。
【０００６】
次に、請求項２の発明は、前述の構成において、前記上側接合部は、前記水平基板部と同一平坦面に形成され、前記上部取付部材が構造材の水平板片上に配置された状態にて、前記上側接合部は構造材から水平方向に突出し、前記下側接合部は垂下状部に対して略直角に屈曲形成され、前記上側接合部と下側接合部とは水平方向且つ平行に接合されてなる受金具取付装置としたことにより、上記課題を解決した。
【０００７】
次に、請求項３の発明は、前述の構成において、前記上側接合部は、前記水平基板部に対して上方に傾斜する傾斜面とし、前記下側接合部は前記垂下状部に対して外面側に傾斜する傾斜面としてなる受金具取付装置としたことにより、上記課題を解決した。請求項４の発明は、前述の構成において、前記上部取付部材の上側接合部と、前記下部取付部材の下側接合部とは、ボルト，ナットの固着具による接合状態において適宜の隙間が存在してなる受金具取付装置としたことにより、上記課題を解決した。
【０００８】
次に、請求項５の発明は、前述の構成において、前記上部取付部材の水平基板部又は前記下部取付部材の垂下状部には、内螺子部が設けられ、前記水平基板部又は垂下状部を貫通する螺子軸部が前記内螺子部に螺合されてなる補助固定部が構成されてなる受金具取付装置としたことにより、上記課題を解決した。請求項６の発明は、前述の構成において、前記受金具に施工される外囲体は、建築用板と、キャップ材とから構成され、前記建築用板の幅方向両側には被嵌合屈曲部が形成され、前記受金具の幅方向両側に配置された建築用板同士の対向する被嵌合屈曲部に前記キャップ材が嵌合されてなる受金具取付装置としたことにより、上記課題を解決したものである。
【発明の効果】
【０００９】
請求項１の発明によって、屋根等の外囲体における既設の構造材に対して改修屋根等の建築用板を施工するための受金具を溶接手段を用いず且つボルト孔等の取付用の孔を穿孔することなく、簡易且つ迅速に、しかも作業を安全にして施工することができる。次に、請求項２の発明は、前記上部取付部材の上側接合部は、前記水平基板部と同一平坦面に形成されており、また前記下部取付部材は、前記下側接合部は垂下状部に対して略直角に屈曲形成され、前記上側接合部と下側接合部とは水平方向且つ平行に接合され、且つ前記上部取付部材を構造材の水平板片上に配置した状態で、前記上側接合部は構造材から水平方向に突出するので、この突出した上側接合部に前記下部取付部材の下側接合部をボルト，ナット等の固着具により締付作業ができるのでその締付における工具を扱い易い状態にすることができる。
【００１０】
次に、請求項３の発明は、前記上側接合部は、前記水平基板部に対して上方に傾斜する傾斜面とし、前記下側接合部は前記垂下状部に対して外面側に傾斜する傾斜面としたことにより、ボルト，ナットによる固着具に締め付けにて、上部取付部材を水平方向に、また下部取付部材は垂直方向にそれぞれ、一度に移動させることができ、構造材への装着作業を効率的に行なうことができる。次に、請求項４の発明によって、前記上部取付部材の上側接合部と、前記下部取付部材の下側接合部には、ボルト，ナットの固着具による接合状態において適宜の間隔を存在させているので、その間隔の範囲においてボルト，ナットによる締付部分には余裕ができ、構造材のサイズの多少の変化に対してはボルト，ナット等の固着具の締め付けにて充分に対応することができ、よってサイズが多少異なる構造材に対しても本発明における装置を装着することができる。
【００１１】
請求項５の発明は、前記上部取付部材の水平基板部又は前記下部取付部材の垂下状部には、内螺子部が設けられ、前記水平基板部又は垂下状部を貫通する螺子軸が前記内螺子部に螺合されることにより、構造材に本発明における上部取付部材と下部取付部材とを装着したときに、前記螺子軸を締め付けることにより、さらに締付強度を増加させることができ、特に振動等の原因によって、上下取付部材が構造材の長手方向に対して横スベリすることを防止できるものである。
【００１２】
請求項６の発明は、前記受金具によって施工される外囲体は、建築用板と、キャップ材とから構成されるものとし、前記建築用板の幅方向両側には被嵌合屈曲部が形成され、前記受金具の幅方向両側に配置された建築用板同士の対向する被嵌合屈曲部に前記キャップ材が嵌合される構造としたことにより、外囲体を改修屋根とした場合の施工性が良好であり、施工時間をより一層短縮することができるものである。
【発明を実施するための最良の形態】
【００１３】
以下、本発明の実施形態を図面に基づいて説明する。まず、本発明は、図１乃至図３に示すように、上部取付部材Ａ１と下部取付部材Ａ２とからなる取付具Ａと、受金具Ｂとから構成される。前記上部取付部材Ａ１と下部取付部材Ａ２とは、それぞれ独立した部材である。その上部取付部材Ａ１は、水平基板部１，上部係止端縁２及び上側接合部３とから構成されており、前記水平基板部１の一端に略折返し状の上部係止端縁２が形成され、他方側にボルト接合する上側接合部３が形成されたものである。また、前記下部取付部材Ａ２は、垂下状部５，下部係止端縁６及び下側接合部７とから構成されており、前記垂下状部５の下端に下部係止端縁６が形成され，前記垂下状部５の上端には下側接合部７が形成されたものである。
【００１４】
まず、前記上部取付部材Ａ１において、図３，図４に示すように、水平基板部１は、平坦状に形成され、後述する受金具Ｂが載置固着される。前記上部係止端縁２は、前記水平基板部１の端辺から下面側且つ内方側に向かって傾斜状に形成された傾斜状片２ａと前記水平基板部１と略平行状に形成された水平端縁２ｂとから構成されたものである。
【００１５】
そして、前記水平基板部１と、傾斜状片２ａと水平端縁２ｂから構成された上部係止端縁２とによって、前記上部取付部材Ａ１が後述する構造材１４の水平板片１４ａの端部箇所が挟持される状態で係止される〔図１（Ａ）参照〕。前記傾斜状片２ａによって、前記水平端縁２ｂが弾性的に水平板片１４ａを押圧するようにして構造材１４との固定状態をより一層強固にすることができる。
【００１６】
また、前記上側接合部３は、前記上部係止端縁２の反対側の位置に適宜の範囲に亘って設定された領域である。この上側接合部３は、上部取付部材Ａ１が前記構造材１４の水平板片１４ａ上に載置されたときに、図１（Ａ）に示すように、その水平板片１４ａ上から外部に突出する領域部分で、後述する下部取付部材Ａ２と接合する役目をなす。その上側接合部３は、図４に示すように、略長方形の領域であり、複数のボルト用の貫通孔３ａ，３ａ，…が穿孔されている。
【００１７】
次に、下部取付部材Ａ２は、図３，図４に示すように、垂下状部５は、垂直板状に形成されている。また、該垂下状部５の下端に形成された下部係止端縁６は、前記垂下状部５の端辺から内面側（下部取付部材Ａ２を構造材１４に取り付けたときに、その構造材１４に向かう面）で且つ上方に向かって傾斜状に形成された傾斜状片６ａと前記垂下状部５と略平行状に形成された水平端縁６ｂとから構成されたものである。
【００１８】
そして、前記垂下状部５と、傾斜状片６ａと水平端縁６ｂから構成された下部係止端縁６とによって、構造材１４の垂直状片の下端箇所を挟持するものである。そして、前記傾斜状片６ａによって、前記水平端縁６ｂが弾性的に水平板片１４ａを押圧するようにして構造材１４との固定状態をより一層強固にすることができる。
【００１９】
また、前記下側接合部７は、前記垂下状部５において、図３，図４に示すように、前記下部係止端縁６の反対側に位置している。すなわち、前記下側接合部７の上端の位置に形成されたものである。該下側接合部７は、前記垂下状部５に対して、略直角状に屈曲形成され水平状の平坦面として形成されるものである。そして、前記上部取付部材Ａ１の上側接合部３と接合させることにより、構造材１４に取付固定されるものである。その下側接合部７は、前記上側接合部３と同様に略長方形の領域であり、複数のボルト用の貫通孔７ａ，７ａ，…が穿孔されている。
【００２０】
次に、前記上部取付部材Ａ１の水平基板部１又は前記下部取付部材Ａ２の垂下状部５には、補助固定部８が具備される実施形態が存在する（図６参照）。該補助固定部８は、貫通孔部８ａ，内螺子部８ｂ及び螺子軸部８ｃとから構成されている〔図６（Ｃ）参照〕。そして、前記上部取付部材Ａ１の水平基板部１の適宜の箇所に前記貫通孔部８ａが穿孔され、該貫通孔部８ａ箇所に内螺子部８ｂが形成される。該内螺子部８ｂは、ナット等の内螺子が形成された部品が使用される。該内螺子部８ｂは、前記水平基板部１に溶接等の固着手段を介して固着される。
【００２１】
そして、その内螺子部８ｂに螺子軸部８ｃが螺合される。該螺子軸部８ｃとしては、ボルトが使用される。また、前記内螺子部８ｂは前記貫通孔部８ａの内周面に形成されても構わない。この場合には内螺子部８ｂとしてのナットは不要となる。上記補助固定部８の実施形態は、上部取付部材Ａ１の水平基板部１に具備したものであるが、同様の構成が下部取付部材Ａ２の垂下状部５に具備されることもある。この下部取付部材Ａ２に補助固定部８が具備される構造は、前記上部取付部材Ａ１に補助固定部８が具備された場合の構造と同等である。
【００２２】
さらに、その補助固定部８は上部取付部材Ａ１及び下部取付部材Ａ２の両側に具備されることもある。この補助固定部８の螺子軸部８ｃを締め付けることにより、該螺子軸部８ｃの先端が構造材１４の水平板片１４ａ又は垂直板片１４ｂを強く押圧し、上部取付部材Ａ１と下部取付部材Ａ２とを接合する固着具９と共に強固な構造材１４への固定となり、取付具Ａが構造材１４の長手方向に沿って移動することが防止できるものである〔図６（Ｂ）参照〕。
【００２３】
その上部取付部材Ａ１の上側接合部３と、前記下部取付部材Ａ２の下側接合部７とが、ボルト９ａ，ナット９ｂによる固着具９によって接合される。具体的には、図１乃至図３に示すように、前記上側接合部３の貫通孔３ａ，３ａ…と、下側接合部７の貫通孔７ａ，７ａ，…に前記ボルト９ａ，９ａ，…が挿入され、前記ナット９ｂ，９ｂ，…により締付固着されるものである。また、前記上部取付部材Ａ１において、前記上側接合部３は、前記水平基板部１に対して略直角に折曲形成され、前記下部取付部材Ａ２において、前記垂下状部５と前記下側接合部７とが同一平坦面となるように形成されることもある。
【００２４】
受金具Ｂは、図１（Ｂ），図２に示すように、支持頂部１０の幅方向両側に脚部１１，１１が形成されたものである。その脚部１１，１１が前記上部取付部材Ａ１の水平基板部１に載置され、溶接等の固着手段により固着される。また、前記支持頂部１０には、固定用螺子軸１２が固着されており、吊子等の屋根取付け部材又は建築用板Ｃ，Ｃが装着可能となっている。その受金具Ｂは、後述する外囲体を構成する建築用板Ｃの種類に対応するものが存在する。
【００２５】
次に、外囲体は、主に屋根であるが壁も含まれる。この外囲体を構成する建築用板Ｃとしては、種々の実施形態が存在する。その第１実施形態は、図８に示すように、嵌合構造タイプの折板屋根等を構成するものであって、隣接する建築用板Ｃ，Ｃ同士をキャップ材１８を介して嵌合連結する外囲体を構成するものである。その嵌合タイプの建築用板Ｃ，Ｃは、主板１５の幅方向両側に半山形部１６，１６が形成され、半山形部１６，１６の頂部箇所に被嵌合屈曲部１７，１７が形成されている。該被嵌合屈曲部１７は、略コ字形状に屈曲形成され、その上端から内方下向きの傾斜状の被嵌合端縁１７ａ，１７ａが形成されている。
【００２６】
前記キャップ材１８は、上部１８ａの幅方向両側に嵌合片１８ｂ，１８ｂが形成されたものである。そして、その建築用板Ｃ，Ｃが前記受金具Ｂ間に配置され、対向する被嵌合屈曲部１７，１７間にキャップ材１８が配置され、被嵌合端縁１７ａ，１７ａと嵌合片１８ｂ，１８ｂとが嵌合されて、屋根等の外囲体を構成する。この第１実施形態の建築用板Ｃは、前記受金具Ｂの支持頂部１０上に吊子１３が配置固着され、該吊子１３を介して、前記建築用板Ｃ，Ｃの被嵌合屈曲部１７，１７が受金具Ｂに固定されるものである。
【００２７】
次に、第２実施形態は、図９に示すように、前記隣接する建築用板Ｃ，Ｃ同士が馳締構造にて連結されるものであって、前記主板１５の幅方向両側に半山形部１６，１６が形成され、それぞれの建築用板Ｃには、半山形部１６，１６の頂部箇所に下馳部１９と上馳部２０とが形成されている。そして、隣接する建築用板Ｃ，Ｃ同士の下馳部１９と上馳部２０とが馳締めされ、外囲体を構成するものである。この第２実施形態の建築用板Ｃにおいても、前記受金具Ｂの支持頂部１０上に吊子１３が配置固着される。この吊子１３は、前記下馳部１９と上馳部２０と略同等形状となる舌片１３ａが形成されており、該舌片１３ａを中間に挟むようにして、前記下馳部１９と上馳部２０とが馳締される。
【００２８】
次に、第３実施形態は、図１０に示すように、建築用板Ｃ，Ｃの半山形部１６の頂部箇所が略台形山形状に形成され、幅方向に隣接する建築用板Ｃ，Ｃの半山形部１６，１６同士を重合させて連結する重ね（重合構造）タイプのものが存在する。そして、重合された半山形部１６，１６を下方側から支持する受金具Ｂに設けられた緊結ボルトとしての固定用螺子具の螺子軸部がその重合する半山形部１６，１６の頂部を貫通し、該頂部より突出した螺子軸部が利用され、ナットにより固着される。
【００２９】
本発明の取付具Ａが装着される、構造材１４は、水平板片１４ａと垂直板片１４ｂとからなる断面略Ｌ字形状の形鋼が使用される。そして、上部取付部材Ａ１の上部係止端縁２が前記構造材１４の水平板片１４ａの端部に係止される。このとき上側接合部３は、前記構造材１４の角部から外方に突出し、前記下部取付部材Ａ２の下側接合部７との接合ができる状態となる。次に、前記下部取付部材Ａ２の下部係止端縁６が前記垂直板片１４ｂの下端に係止される。
【００３０】
このとき前記垂下状部５は、垂直板片１４ｂに当接又は近接する状態となり、下側接合部７が水平状となる。次いで、前記上側接合部３に穿孔された貫通孔３ａ，３ａ，…と下側接合部７に穿孔された貫通孔７ａ，７ａ，…とを位置合わせして、ボルト９ａ，９ａ，…が挿通され、ナット９ｂ，９ｂ，…が締め付けられて固着されるものである。その上部取付部材Ａ１と下部取付部材Ａ２とが構造材１４に装着されるときに、前記上側接合部３と下側接合部７との間には、適宜の隙間ｄが存在するようにしている。
【００３１】
この隙間ｄは、僅かな量でもよいが、ボルト９ａ，ナット９ｂの前記固着具９にて、上側接合部３と下側接合部７とを締め付けるときの締付代（ボルト９ａとナット９ｂによって締付可能な範囲）として設けられるものであり、この隙間ｄによって、前記固着具９による，より一層強固な固着ができる。前記上部取付部材Ａ１の水平基板部１には、受金具Ｂが固着されており、この受金具Ｂを介して、屋根，壁等の外囲体を構成する建築用板Ｃを取り付けてゆくものである。
【００３２】
次に、前記上部取付部材Ａ１において、図７（Ａ）に示すように、前記上側接合部３は、前記水平基板部１に対して上方に傾斜する傾斜面として形成され、また下部取付部材Ａ２において、前記下側接合部７は前記垂下状部５に対して外面側に傾斜する傾斜面とし形成される実施形態が存在する。さらに、具体的には、前記上側接合部３は、前記水平基板部１の表面側に対して略４５°の角度で、外方且つ上向きに傾斜する傾斜板として形成されている。また、前記下部取付部材Ａ２は、前記垂下状部５に対しても、前記下側接合部７は、略４５°の角度で、外方且つ上向きに傾斜する傾斜板として形成されている。
【００３３】
そして、前記上部取付部材Ａ１の上部係止端縁２が構造材１４の水平板片１４ａの端縁に係止され、また下部取付部材Ａ２の下部係止端縁６が垂直板片１４ｂの下端縁に係止された状態で、前記上側接合部３と下側接合部７とは、それぞれ略４５°の角度で平行状態に対向することになる〔図７（Ｂ）参照〕。
【００３４】
そして、前記上側接合部３の貫通孔３ａ，３ａ，…と、下側接合部７の貫通孔７ａ，７ａ，…にそれぞれボルト９ａ，９ａ，…を挿通して、それぞれボルト９ａ，９ａ，…に対してナット９ｂ，９ｂ，…にて締め付けることで、前記上側接合部３と下側接合部７とが平行状態で近接すると共に、前記水平基板部１は水平方向に移動し、また垂下状部５は垂直方向に移動することになる。図７（Ｂ）には、前記ボルト９ａとナット９ｂによって締め付けることで、前記上側接合部３と下側接合部７とが平行状態で近接するときの、前記上部取付部材Ａ１と、前記下部取付部材Ａ２とのそれぞれの動作（移動）方向が矢印にて記載されている。
【００３５】
これによって、前記上部取付部材Ａ１の上部係止端縁２と、前記下部取付部材Ａ２の下部係止端縁６が構造材１４の水平板片１４ａと垂直板片１４ｂとの係止をより一層強固にしながら、上部取付部材Ａ１と下部取付部材Ａ２とを前記構造材１４に固定することができる。なお、前記水平基板部１と前記上側接合部３との隅角箇所及び前記垂下状部５と前記下側接合部７との隅角箇所には、図７に示すように、補強用のリブ４がそれぞれ設けられている。
【図面の簡単な説明】
【００３６】
【図１】（Ａ）は本発明の一部断面にした側面図、（Ｂ）はＸ1 −Ｘ1 矢視図である。
【図２】本発明の斜視図である。
【図３】本発明の一部断面にした分解側面図である。
【図４】（Ａ）は本発明における取付具の分解斜視図、（Ｂ）は上部取付部材の斜視図である。
【図５】本発明における取付具の別の実施形態を示す一部断面にした側面図である。
【図６】（Ａ）は補助固定部を具備した本発明の縦断側面図、（Ｂ）はＸ2 −Ｘ2 矢視図、（Ｃ）は（Ａ）のイ部拡大図である。
【図７】（Ａ）は本発明における取付具の別の実施形態を示す縦断側面図、（Ｂ）は（Ａ）の作用図である。
【図８】（Ａ）は本発明の施工する外囲体を嵌合構造タイプとした正面図、（Ｂ）は（Ａ）の要部拡大図である。
【図９】（Ａ）は本発明の施工する外囲体を馳締構造タイプとした正面図、（Ｂ）は（Ａ）の要部拡大図である。
【図１０】（Ａ）は本発明の施工する外囲体を重合構造タイプとした正面図、（Ｂ）は（Ａ）の要部拡大図である。
【符号の説明】
【００３７】
Ａ…取付具、Ａ１…上部取付部材、Ａ２…下部取付部材、Ｂ…受金具、Ｃ…建築用板、１…水平基板部、２…上部係止端縁、３…上側接合部、５…垂下状部、
６…下部係止端縁、７…下側接合部、８…補助固定部、８ｂ…内螺子部、
８ｃ…螺子軸部、９…固着具、９ａ…ボルト、９ｂ…ナット、１４…構造材、
１４ａ…水平板片、１４ｂ…垂直板片、１８…キャップ材、ｄ…隙間。
【図１】
2007056630.tif 000003
【図２】
2007056630.tif 000004
【図３】
2007056630.tif 000005
【図４】
2007056630.tif 000006
【図５】
2007056630.tif 000007
【図６】
2007056630.tif 000008
【図７】
2007056630.tif 000009
【図８】
2007056630.tif 000010
【図９】
2007056630.tif 000011
【図１０】
2007056630.tif 000012